(57)【要約】【課題】容易に散逸することがなく、ペットが直ぐに飽きないようにペット用玩具を保持するペット用玩具保持装置を提供する。【解決手段】ペット用玩具保持装置１０は、本体１と、本体１に昇降（進退）自在に設置されたネジ棒２と、ネジ棒２に設置され輪を形成する線材３と、ネジ棒２の一部を収納する筒体４と、筒体４を本体１に押し付けるコイルスプリング５と、筒体４の上部端面４ａに設置されたペット用玩具受け板６とを有している。線材３が形成する輪にペット用玩具を挿入して、これを回転すると、これに伴って回転するネジ棒２が本体１に侵入して、ペット用玩具は線材３によってペット用玩具受け板６に押し付けられる。【選択図】図１
2010166881.tif 000002
【特許請求の範囲】
【請求項１】
凸状面と略円形の平面とから形成された略球体の一部である本体と、前記平面に形成された雌ネジに螺合する雄ネジを具備するネジ棒と、該ネジ棒に設置され可撓性を具備する輪を形成する線材と、前記ネジ棒を包囲し、上部開口部から前記線材が突出する筒体と、を有し、
前記線材が形成する輪にペット用玩具を挿入して、該ペット用玩具または前記線材を回転することによって前記ネジ棒を回転させ、前記線材を前記筒体内に引き込むことによって、前記ペット用玩具を前記筒体の上部端面に押し付けることを特徴とするペット用玩具保持装置。
【請求項２】
前記ネジ棒と前記筒体との間に、相対的な回転を阻止する回転止め手段が設置され、前記ペット用玩具または前記線材の回転に替えて、前記筒体を回転することによって前記ネジ棒を回転させ、前記線材を前記筒体内に引き込むことによって、前記ペット用玩具を前記筒体の上部端面に押し付けることを特徴とする請求項１記載のペット用玩具保持装置。
【請求項３】
凸状面と略円形の平面とから形成された略球体の一部である本体と、
前記平面に形成された雌ネジに螺合する雄ネジを略全長に具備するネジ棒と、
該ネジ棒の雄ネジに螺合する雌ネジを具備する昇降ナットと、
該昇降ナットに設置された係止フランジと、
前記係止フランジが通過自在な回転駆動スリットが形成され、前記昇降ナットが設置された前記ネジ棒を包囲する筒体と、
前記係止フランジに着脱自在に係止して可撓性を具備する輪を形成する線材と、
を有し、
前記係止フランジに係止した線材が形成する輪にペット用玩具を挿入して、前記筒体を前記本体に対して相対的に回転することによって前記ネジ棒を回転させ、前記線材を前記筒体内に引き込むことによって、前記ペット用玩具を前記筒体の上部端面に押し付けることを特徴とするペット用玩具保持装置。
【請求項４】
前記ネジ棒に、前記筒体を前記平面に押し付ける付勢手段が設置されることを特徴とする請求項１乃至３の何れかに記載のペット用玩具保持装置。
【請求項５】
凸状面と略円形の平面とから形成された略球体の一部である本体と、前記平面に回転不能に立設されたネジ棒と、該ネジ棒に螺合する雌ネジを具備する昇降体と、該昇降体に設置され、可撓性を具備する輪を形成する線材と、を有し、
前記線材が形成する輪にペット用玩具を挿入して、前記昇降体を回転することによって、前記線材を前記本体側に移動させることによって、前記ペット用玩具を前記ネジ棒の上部端面に押し付けることを特徴とするペット用玩具保持装置。
【請求項６】
凸状面と略円形の平面とから形成された略球体の一部である本体と、
前記平面に形成された雌ネジに螺合する雄ネジと、断面鋸歯状の環状係止部とを具備する支柱と、
該支柱の環状係止部に着脱自在に係止するクリップと、
該クリップに着脱自在に係止して可撓性を具備する輪を形成する線材と、
前記線材を包囲する筒体と
を有し、
前記クリップが、ハ字状に配置された一対のアーム部と、該アーム部を連結する可撓性を有するリング部とから形成され、前記アーム部の先端が前記環状係止部に当接し、且つ、前記アーム部の後端寄りの範囲を互いに近づけた際、前記アーム部の先端が前記環状係止部から離脱し、
前記筒体が、前記支柱に係止した前記クリップのアーム部の上端寄りの範囲を収容し、且つ、前記アーム部の下端寄りの範囲が通過自在なスリットを具備し、
前記アーム部の下端寄りの範囲に係止した線材が形成する輪にペット用玩具を挿入して、前記クリップを前記本体側に移動させ、前記線材を前記筒体内に引き込むことによって、前記ペット用玩具を前記筒体の上部端面に押し付け、
前記クリップのアーム部の下端寄りの範囲を互いに近づけて、前記クリップを前記本体から遠ざけることによって、前記ペット用玩具を前記筒体の上部端面から離すことを特徴とするペット用玩具保持装置。
【発明の詳細な説明】
【技術分野】
【０００１】
本発明はペット用玩具保持装置、特に、犬等のペット用に製造されたペット用玩具を保持するペット用玩具保持装置に関する。
【背景技術】
【０００２】
従来、犬等のペットに噛ませることを目的に製造された「噛みもの（本発明において「ペット用玩具」と称する）」として、ペットの健康に配慮すると共に、ペットが遊び続けた際、飽きないように工夫した考案が開示されている（例えば、特許文献１参照）。
【先行技術文献】
【特許文献】
【０００３】
【特許文献１】実用新案登録第３１１０００１号公報（第５−６頁、図２）
【発明の概要】
【発明が解決しようとする課題】
【０００４】
しかしながら、特許文献１に開示されたペット用玩具は、床面に直に載置されるため、抜け毛や綿ごみ等の汚れが付着して不潔になるという問題があった。また、床面に載置した状態では何処かに行ってしまうため、ペットはこれを足で押さえて噛みついていた。そのため、子犬等は上手に噛みつくことができず、直ぐに飽きてしまうという問題があった。
【０００５】
本発明は上記問題を解決するものであって、床面に載置されることなく、しかもペットが足で押さえ付けなくても何処かに行ってしまうことがなく、清潔で直ぐに飽きないようにペット用玩具を保持するペット用玩具保持装置を提供することを目的とする。
【課題を解決するための手段】
【０００６】
（１）本発明に係るペット用玩具保持装置は、凸状面と略円形の平面とから形成された略球体の一部である本体と、前記平面に形成された雌ネジに螺合する雄ネジを具備するネジ棒と、該ネジ棒に設置され可撓性を具備する輪を形成する線材と、前記ネジ棒を包囲し、上部開口部から前記線材が突出する筒体と、を有し、
前記線材が形成する輪にペット用玩具を挿入して、該ペット用玩具または前記線材を回転することによって前記ネジ棒を回転させ、前記線材を前記筒体内に引き込むことによって、前記ペット用玩具を前記筒体の上部端面に押し付けることを特徴とする。
【０００７】
（２）また、前記（１）において、前記ネジ棒と前記筒体との間に、相対的な回転を阻止する回転止め手段が設置され、前記ペット用玩具または前記線材の回転に替えて、前記筒体を回転することによって前記ネジ棒を回転させ、前記線材を前記筒体内に引き込むことによって、前記ペット用玩具を前記筒体の上部端面に押し付けることを特徴とする。
【０００８】
（３）さらに、凸状面と略円形の平面とから形成された略球体の一部である本体と、
前記平面に形成された雌ネジに螺合する雄ネジを略全長に具備するネジ棒と、
該ネジ棒の雄ネジに螺合する雌ネジを具備する昇降ナットと、
該昇降ナットに設置された係止フランジと、
前記係止フランジが通過自在な回転駆動スリットが形成され、前記昇降ナットが設置された前記ネジ棒を包囲する筒体と、
前記係止フランジに着脱自在に係止して可撓性を具備する輪を形成する線材と、
を有し、
前記係止フランジに係止した線材が形成する輪にペット用玩具を挿入して、前記筒体を前記本体に対して相対的に回転することによって前記ネジ棒を回転させ、前記線材を前記筒体内に引き込むことによって、前記ペット用玩具を前記筒体の上部端面に押し付けることを特徴とする。
【０００９】
（４）また、前記（１）乃至（３）の何れかにおいて、前記ネジ棒に、前記筒体を前記平面に押し付ける付勢手段が設置されることを特徴とする。
【００１０】
（５）さらに、凸状面と略円形の平面とから形成された略球体の一部である本体と、前記平面に回転不能に立設されたネジ棒と、該ネジ棒に螺合する雌ネジを具備する昇降体と、該昇降体に設置され、可撓性を具備する輪を形成する線材と、を有し、
前記線材が形成する輪にペット用玩具を挿入して、前記昇降体を回転することによって、前記線材を前記本体側に移動させることによって、前記ペット用玩具を前記ネジ棒の上部端面に押し付けることを特徴とする。
【００１１】
（６）さらに、凸状面と略円形の平面とから形成された略球体の一部である本体と、
前記平面に形成された雌ネジに螺合する雄ネジと、断面鋸歯状の環状係止部とを具備する支柱と、
該支柱の環状係止部に着脱自在に係止するクリップと、
該クリップに着脱自在に係止して可撓性を具備する輪を形成する線材と、
前記線材を包囲する筒体と
を有し、
前記クリップが、ハ字状に配置された一対のアーム部と、該アーム部を連結する可撓性を有するリング部とから形成され、前記アーム部の先端が前記環状係止部に当接し、且つ、前記アーム部の後端寄りの範囲を互いに近づけた際、前記アーム部の先端が前記環状係止部から離脱し、
前記筒体が、前記支柱に係止した前記クリップのアーム部の上端寄りの範囲を収容し、且つ、前記アーム部の下端寄りの範囲が通過自在なスリットを具備し、
前記アーム部の下端寄りの範囲に係止した線材が形成する輪にペット用玩具を挿入して、前記クリップを前記本体側に移動させ、前記線材を前記筒体内に引き込むことによって、前記ペット用玩具を前記筒体の上部端面に押し付け、
前記クリップのアーム部の下端寄りの範囲を互いに近づけて、前記クリップを前記本体から遠ざけることによって、前記ペット用玩具を前記筒体の上部端面から離すことを特徴とする。
【発明の効果】
【００１２】
（ｉ）本発明に係るペット用玩具保持装置は、輪に挿入された状態のペット用玩具または線材を回転することによって、ペット用玩具を線材によって筒体の上部端面に押し付けて保持し、しかも、筒体は凸状面を具備する本体に押し付けられている。そのため、ペット用玩具が床面に直接載置されないから清潔に保持され、ペットが噛みつこうとした際、ペット用玩具が何処かに行ってしまうことがない。さらに、ペットが平面に足を掛けた際、本体は容易に揺動するから、保持された状態のペット用玩具も揺動し、ペットが直ぐに飽きることがない。
【００１３】
（ｉｉ）また、ネジ棒と筒体との間に回転止め手段が設置されているから、筒体を回転することによってペット用玩具を迅速、且つ、確実に保持することができる。すなわち、輪に挿入された状態のペット用玩具を回転することによってネジ棒を回転させる場合には、線材自体（正確には、線材のペット用玩具から離れたネジ棒に近い範囲）が捩られるため、ペット用玩具を余計に回転したり、捩りの戻りによって保持が弱くなったりしていた。
【００１４】
（ｉｉｉ）さらに、回転駆動スリットから突出した係止フランジに着脱自在に係止して可撓性を具備する輪を形成する線材を有するから、線材を適宜選択して使用することができる。また、予め線材が形成する輪の大きさをペット用玩具の大きさに対応させることができるから、ネジ棒の相対的な回転を少なくすることができる。さらに、係止フランジが回転駆動スリットを通過しているから、筒体を本体に対して相対的に回転するだけで、ペット用玩具を清潔且つ確実に保持することができる。
【００１５】
（ｉｖ）また、付勢手段によって筒体が平面に押し付けられるから、筒体が平面から浮き上がった場合に比べ、筒体の上部により大きな輪が形成されるため、ペット用玩具をより容易に輪に挿入することができる。
【００１６】
（ｖ）さらに、昇降体を回転することによって、ペット用玩具を線材によってネジ棒の上部端面に押し付けて保持するから、前記（ｉ）の効果を奏すると共に、装置の構成が簡素になる。
【００１７】
（ｖｉ）さらに、クリップを昇降するだけで、線材が形成する輪の大きさを変更することができるから、さらに清潔且つ容易に、ペット用玩具を保持したり、開放したりするこことが可能になる。
【図面の簡単な説明】
【００１８】
【図１】本発明の実施の形態１に係るペット用玩具保持装置を説明する断面図。
【図２】図１に示すペット用玩具保持装置の使用状態を示す斜視図。
【図３】図１に示すペット用玩具保持装置のバリエーションを説明する断面図。
【図４】本発明の実施の形態２に係るペット用玩具保持装置を説明する断面図。
【図５】本発明の実施の形態３に係るペット用玩具保持装置を説明する断面図等。
【図６】本発明の実施の形態４に係るペット用玩具保持装置を説明する一部断面図等。
【発明を実施するための形態】
【００１９】
［実施の形態１］
図１および図２は本発明の実施の形態１に係るペット用玩具保持装置を説明するものであって、図１は側面視の断面図、図２は使用状態を示す斜視図である。
図１において、ペット用玩具保持装置１００は、本体１と、ネジ棒２と、線材３と、筒体４と、コイルスプリング（付勢手段に同じ）５と、ペット用玩具受け板６とを有している。
本体１は、略円形の平面１ａと凸状面１ｂとから形成された略球体の一部であって、平面１ａに垂直に雌ネジ１ｃが形成されている。
ネジ棒２は、雌ネジ１ｃに螺合する雄ネジ２ｃによって本体１に昇降（進退）自在に接合されている。そして、上部端面２ａの近くにコイルスプリング５を押し付けるためのスプリング押さえ板２ｂが設置され、上部端面２ａの近くに線材３の両端がそれぞれ接合されている。また、ネジ棒２のスプリング押さえ板２ｂよりも下部がコイルスプリング５を貫通している。
【００２０】
筒体４はネジ棒２の一部を収納するものであって、下端にスプリング受け板４ｂを具備し、スプリング受け板４ｂに形成された貫通孔４ｃをネジ棒２の雄ネジ２ｃが貫通している。このとき、コイルスプリング５は、スプリング押さえ板２ｂとスプリング受け板４ｂとに挟まれて圧縮されているから、筒体４は本体１の平面１ａに押し付けられている。
また、上部端面４ａには、ペット用玩具受け板６が設置され、ペット用玩具受け板６に形成された開口部６ａを線材３が貫通している。このとき、線材３はペット用玩具受け板６の上方において、輪を形成している。
【００２１】
図２において、線材３が形成する輪にペット用玩具９０を挿入して、ペット用玩具９０を平面１ａと平行な面内で、本体１に対して相対的に回転する（本体１を回転してもよい）。そうすると、線材３は捩られるから、形成された輪は除々に小さくなってペット用玩具９０を把持すると共に、ネジ棒２は回転し、雄ネジ２ｃが雌ネジ１ｃの奥に侵入する。すなわち、ペット用玩具９０を把持した線材３（輪）が本体１に接近するから、ペット用玩具９０はペット用玩具受け板６に押し付けられる。
そこで、手を離しても、ペット用玩具９０とペット用玩具受け板６との間の摩擦力によって、線材３の捩りが戻ることは殆どなく、ペット用玩具９０が線材３（輪）から抜け出すことがない。
【００２２】
したがって、ペット用玩具９０を清潔に把持した状態で、ペットを遊ばせることができる。このとき、ペット用玩具９０が床面を滑って何処かに行ってしまうことがなく、子犬等は上手に噛みつくことができる。また、本体１の平面１ａに足を載せると、ペット用玩具９０が揺動して、その姿勢が変動するため、直ぐに飽きるようなことがない。
なお、ペット用玩具保持装置１０はコイルスプリング５によって筒体４が本体１から離れることがないから、線材３が形成する輪が不用意に小さくなることがなく、ペット用玩具９０の挿入が容易になっているが、コイルスプリング５（およびスプリング押さえ板２ｂとスプリング受け板４ｂ）を撤去してもよい。また、ペット用玩具受け板６を撤去して、筒体４の上部端面にペット用玩具９０が当接するようにしてもよい。
また、線材３の両端に係止用の突起を設け、スプリング押さえ板２ｂに該突起が侵入する溝を設けて、線材３を着脱自在にしてもよい。また、平面１ａを頂角が大きな円錐面にしてもよい。そして、各部材を形成する材料は限定するものではない。
【００２３】
図３は、図１に示すペット用玩具保持装置のバリエーションを説明する平面視の断面図である。なお、図１と同じ部分または相当する部分には同じ符号を付し、一部の説明を省略する。
図３の（ａ）において、筒体４が断面楕円形に形成され、スプリング押さえ板２ｂ（正確には、棒状）が筒体４の長い方の内径よりも短く、短い方の内径よりも長くなっている。したがって、筒体４を回転すると、スプリング押さえ板２ｂは筒体４の内面に押されて回転する。すなわち、筒体４を本体１に対して相対的に回転すると、スプリング押さえ板２ｂ（ネジ棒２）は回転するから、筒体４を回転するだけで、ペット用玩具９０を把持することができる。このとき、線材３に挿入したペット用玩具９０に触れて、これを回転する必要がなくなるから、清潔さが増すと共に、線材３が捩られることがない。なお、スプリング押さえ板２ｂを、筒体４に収納自在な楕円形にしてもよい。
【００２４】
図３の（ｂ）は、筒体４が断面矩形に形成され、スプリング押さえ板２ｂ（正確には、棒状）が筒体４の内面の対角線に沿って配置され、筒体の内面の辺の長さより長くなっている。したがって、図３の（ａ）と同様の作用効果が得られる。なお、スプリング押さえ板２ｂを、筒体４に収納自在な矩形にしてもよい。
【００２５】
図３の（ｃ）は、筒体４の内面に軸方向に平行な回転駆動突起４ｄを設置し、スプリング押さえ板２ｂに回転駆動突起４ｄが侵入自在な回転受動溝２ｄを形成したものである。したがって、図３の（ａ）と同様の作用効果が得られる。なお、回転駆動突起４ｄは、少なくともスプリング押さえ板２ｂの移動（昇降）範囲に形成されていればよい。また、スプリング押さえ板２ｂを、筒体４に収納自在な棒状にしてもよい。
【００２６】
図３の（ｄ）は、筒体４の内面に軸方向に平行な回転駆動スリット４ｅを形成し、スプリング押さえ板２ｂを回転駆動スリット４ｅに侵入自在な棒状にしたものである。したがって、図３の（ａ）と同様の作用効果が得られる。なお、回転駆動スリット４ｅ（断面Ｃ字状の範囲）は、少なくともスプリング押さえ板２ｂの移動（昇降）範囲に形成されていればよい。また、スプリング押さえ板２ｂを、回転駆動スリット４ｅに侵入自在な突起が外面に形成された円盤にしてもよい。
【００２７】
［実施の形態２］
図４は本発明の実施の形態２に係るペット用玩具保持装置を説明する側面視の断面図である。図４において、ペット用玩具保持装置２００は、本体７と、ネジ棒８と、線材９と、を有している。
本体７は、略円形の平面７ａと凸状面７ｂとから形成された中空の略球体の一部であって、平面７ａに垂直に雌ネジ７ｃが形成され、凸状面７ｂの内側で雌ネジ７ｃの軸心の延長線上に錘７ｄが設置されている。ネジ棒８は全長に雄ネジ８ｃが形成され、上部端面８ａは円錘状に形成されて尖がり、その近くに昇降ナット８ｂが螺合している。また、ネジ棒８は、下端８ｅの近くが雌ネジ７ｃに螺合し、回り止めナット８ｄによって本体１に接合されている。
そして、線材３の両端には輪部（サツマ）３ａが形成され。輪部３ａが昇降ナット８ｂに設置された係止フランジ８ｆに係止している。すなわち、昇降ナット８ｂと係止フランジ８ｆとは、蝶ネジと同様の形態である。
【００２８】
したがって、ペット用玩具の形態（大きさ、色、臭い等）に応じて線材３を選択して、選択された線材３を係止フランジ８ｆに係止し、これが形成する輪にペット用玩具（図示しない）を挿入して、昇降ナット８ｂを回転して下降させると、ペット用玩具はネジ棒８の上部端面８ａに刺さり、抜け出し不能に押し付けられる。よって、ペット用玩具保持装置１００（実施の形態１）と同様に、ペット用玩具を清潔に保持した状態でペットを飽きさせないで遊ばすことができる。
なお、ネジ棒８の上部端面８ａを尖らす替わりに、ペット用玩具受け板６を設置してもよい。また、線材３を昇降ナット８ｂに着脱自在に取り付けるようにしてもよい。さらに、平面７ａを頂角が大きな円錐面にしてもよいし、本体７を中実体にしてもよい。そして、各部材を形成する材料は限定するものではない。
【００２９】
［実施の形態３］
図５は本発明の実施の形態３に係るペット用玩具保持装置を説明するものであって、（ａ）は側面視の断面図、（ｂ）は平面図である。図５において、ペット用玩具保持装置３００は、ペット用玩具保持装置１００（実施の形態１）において、ネジ棒２に替えてペット用玩具保持装置２００（実施の形態２）のネジ棒８を設置したものである。なお、実施の形態１、２と同じ部分または相当する部分には同じ符号を付し、一部の説明を省略する。
【００３０】
このとき、昇降ナット８ｂに設置された係止フランジ８ｆは、筒体４に形成された回転駆動スリット４ｅを通過自在であって、ペット用玩具受け板６には、昇降ナット８ｂと係止フランジ８ｆの一体物が通過自在な開口部６ａが形成されている。
したがって、ペット用玩具の大きさに応じて、予め昇降ナット８ｂを回転して所定位置に移動した後、筒体４にネジ棒８を挿入し、ネジ棒８を本体１に設置し、回転駆動スリット４ｅを通過して筒体４の側方に突出した係止フランジ８ｆに、線材３の両端に形成された輪部（サツマ）３ａを係止する。そこで線材３が形成する輪にペット用玩具（図示しない）を挿入して、筒体４と本体１とを相対的に回転すれば、ペット用玩具は確実に保持される。よって、ペット用玩具保持装置１００、２００（実施の形態１、２）と同様に、ペット用玩具を清潔に保持した状態でペットを飽きさせないで遊ばすことができる。
【００３１】
このとき、予め、昇降ナット８ｂが所定位置に移動しているから、線材３によって形成される輪は、ペット用玩具の大きさに対応した大きさになっている。このため、筒体４と本体１との相対的な回転を少なくすることができる。
なお、ペット用玩具受け板６には内フランジ６ｂが形成され、内フランジ６ｂが筒体４の上部端面４ａの内側に嵌合しているが、本発明はこれに限定するものではなく、ペット用玩具受け板６を撤去してもよい。また、線材３を係止フランジ８ｆに係止する前に、線材の略中央部をペット用玩具の上面に当て、ペット用玩具を押さえ込むように、線材３の輪部３ａを係止フランジ８ｆに係止してもよい。
【００３２】
［実施の形態４］
図６は本発明の実施の形態４に係るペット用玩具保持装置を模式的に説明するものであって、（ａ）は側面視の一部断面図、（ｂ）は動作を示す側面視の部分断面図、（ｃ）は部材（クリップ）を示す斜視図である。なお、実施の形態１〜３と同じ部分または相当する部分に同じ符号を付し、一部の説明を省略する。
図６において、ペット用玩具保持装置４００は、本体１と、支柱９と、線材３と、筒体４と、を有している。
【００３３】
支柱９は、上部に断面鋸歯状の環状係止部９ａが形成され、下部に雄ネジ９ｃが形成されている。すなわち、環状係止部９ａは複数の円錐台が重なった形態を呈している。
また、クリップ１０は、ハ字状に配置された一対のアーム部１０ｄと、これを連結するリング部１０ｅとから形成されている。アーム部１０ｄは環状係止部９ａに当接自在な形状をしたアーム先端１０ａと、リング部１０ｅが接合されたアーム中間部１０ｂと、筒体４に形成された回転駆動スリット４ｅを通過して筒体４の側方に突出したアーム後端１０ｃとを有している。
そして、リング部１０ｅは筒体４に収納され、可撓性を有している。したがって、アーム後端１０ｃの近傍を下方に押し下げれば、アーム先端１０ａは環状係止部９ａの斜面によって移動するから、クリップ１０は容易に下方に移動する。一方、アーム後端１０ｃの近傍を互いに挟み付ける（互いに近づける）と、アーム先端１０ａは環状係止部９ａの略水平面から離脱して、支柱９から離れるから、クリップ１０は容易に上方に移動する。
【００３４】
したがって、ペット用玩具の大きさに応じて、予めクリップ１０を所定位置に移動した後、筒体４に支柱９を挿入し、支柱９を本体１に設置し、アーム１０ｄ（アーム後端１０ｃの内側）に線材３の両端に形成された輪部（サツマ）３ａを係止する。
そこで線材３が形成する輪にペット用玩具（図示しない）を挿入して、クリップ１０を押し下げれば、ペット用玩具は確実に保持される。よって、ペット用玩具保持装置１００、２００、３００（実施の形態１〜３）と同様に、ペット用玩具を清潔に保持した状態でペットを飽きさせないで遊ばすことができる。
【００３５】
さらに、クリップ１０を押し下げた後、本体１と筒体４とを相対的に回転して、支柱９の雄ネジ９ｃの螺合を進めれば、ペット用玩具はさらに確実に保持される。
そして、ペットが遊び終えたところで、アーム後端１０ｃの近傍を互いに挟み付ける（互いに近づける）と、アーム先端１０ａは環状係止部９ａの略水平面から離脱して、クリップ１０は容易に上方に移動するから、ペット用玩具および線材３を容易に取り外すことができる。
なお、ペット用玩具保持装置３００（実施の形態３）に準じて、ペット用玩具受け板６を設置してもよい。
【産業上の利用可能性】
【００３６】
本発明によれば、ペットが直ぐに飽きないようにペット用玩具を清潔に保持することができるから、犬等のペットは勿論、その他の動物用の玩具や食品等を保持する装置として広く利用することができる。
【符号の説明】
【００３７】
１   本体（実施の形態１）
１ａ 平面
１ｂ 凸状面
１ｃ 雌ネジ
２   ネジ棒
２ａ 上部端面
２ｂ スプリング押さえ板
２ｃ 雄ネジ
２ｄ 回転受動溝
３   線材
４   筒体
４ａ 上部端面
４ｂ スプリング受け板
４ｃ 貫通孔
４ｄ 回転駆動突起
４ｅ 回転駆動スリット
５   コイルスプリング
６   ペット用玩具受け板
６ａ 開口部
７   本体（実施の形態２）
７ａ 平面
７ｂ 凸状面
７ｃ 雌ネジ
７ｄ 錘
８   ネジ棒
８ａ 上部端面
８ｂ 昇降ナット
８ｃ 雄ネジ
８ｄ 回り止めナット
８ｅ 下端
８ｆ 係止フランジ
９   線材
９ａ 環状係止部
９ｂ 雄ネジ
１０ クリップ
１０ａ アーム先端
１０ｂ アーム中間部
１０ｃ アーム後端
１０ｄ アーム部
１０ｅ リング部
９０ ペット用玩具
１００ ペット用玩具保持装置（実施の形態１）
２００ ペット用玩具保持装置（実施の形態２）
３００ ペット用玩具保持装置（実施の形態３）
４００ ペット用玩具保持装置（実施の形態４）
【図１】
2010166881.tif 000003
【図２】
2010166881.tif 000004
【図３】
2010166881.tif 000005
【図４】
2010166881.tif 000006
【図５】
2010166881.tif 000007
【図６】
2010166881.tif 000008